(57)【要約】【課題】遊技機本体と固定枠との間に生じる隙間からピアノ線などを挿入した不正行為を抑制する。【解決手段】固定枠８の枠構成部材５３の前面形状を段差形状とする。この段差形状を構成する段差面５３ｅ，５３ｆに、凹溝６０，６１をそれぞれ設ける。本体部材３の背面であって、施錠装置４０よりも外側となる箇所に、施錠装置４０よりも突出量の小さい突片５２を設ける。本体部材３と固定枠８とを施錠装置４０により固定すると、施錠装置４０が凹溝６１に、突片５２が凹溝６０にそれぞれ挿入された状態で保持される。本体部材３と固定枠８との間に隙間が生じた場合であっても、この隙間が複雑な形状となるので、ピアノ線７０を挿入しづらくなる。【選択図】図５
2007325731.tif 000002
【特許請求の範囲】
【請求項１】
遊技場の島設備に固定される固定枠に軸支される遊技機本体を有し、
前記遊技機本体は、前記固定枠に軸支される一端縁とは反対側となる他端縁に、前記遊技機本体を前記固定枠に固定する施錠装置を備えた構成からなる遊技機において、
前記施錠装置は、前記遊技機本体の上下方向に沿って、且つ前記遊技機本体の背面から突出するように前記遊技機本体に組み付けられるとともに、その解錠動作或いは施錠動作時に可動する係止爪を備えて構成され、
前記固定枠は、前記施錠装置によって前記遊技機本体を固定枠に固定する際に前記係止爪が係合される係合片と、前記係合片が内部に設けられ、前記係止爪と前記係合片との係合の際に前記施錠装置の少なくとも係止爪が挿入されることで、前記施錠装置の一部が被覆される第１挿入部と、を備えたことを特徴とする遊技機。
【請求項２】
前記遊技機本体は、前記施錠装置に沿って、且つ前記施錠装置よりも外側に設けられる突片を備え、
前記固定枠は、前記第１挿入部の他に、前記突片が挿入される第２挿入部を備えていることを特徴とする請求項１記載の遊技機。
【請求項３】
前記固定枠の他端縁は、その前面の一部が上下方向に沿って切り欠かれることで、複数の段差面を備えた段差形状から構成され、
前記複数の段差面のうち、前記固定枠の前面側に位置する段差面に前記第２挿入部を設け、前記複数の段差面のうち、前記固定枠の背面側に設けられる段差面に前記第１挿入部を設けたことを特徴とする請求項２記載の遊技機。
【発明の詳細な説明】
【技術分野】
【０００１】
本発明は、パチンコ店などの遊技場に設置される、例えばパチンコ機などの遊技機に関するものである。
【背景技術】
【０００２】
パチンコ店などの遊技場に設置される弾球遊技機としてパチンコ機が挙げられる。このパチンコ機は、固定枠に対して回動自在となるように組み付けられたパチンコ機本体の前面に遊技盤が配設され、さらにその前面に遊技盤に設けられた遊技領域を視認させる窓が形成された前面扉が回動自在に組み付けられた構成からなる。また、このパチンコ機本体には、遊技領域にパチンコ球を打ち出す発射装置や、遊技において入賞を得た場合に賞球としてのパチンコ球を払い出す払出装置など、遊技の際に作動される装置や、これら装置を制御する制御装置などが組み付けられている。このように、パチンコ機には数々の装置や制御装置などが組み付けられた構成となることから、パチンコ機においては、前面扉をパチンコ機本体に固定する機能と、パチンコ機本体を固定枠に固定する機能との両方の機能を備えた施錠装置が用いられている。このように、２つの機能を備えた施錠装置をパチンコ機本体に組み込むことで、少ないスペースを有効活用することが可能となる。
【０００３】
上述したように、パチンコ機本体は固定枠に対して回動自在に組み付けられる構成となっていることから、パチンコ機本体の回動中心側の端縁部と固定枠との間や、パチンコ機本体の回動中心側の端縁部と固定枠との間に隙間が生じることがある。このような隙間が生じている状態でパチンコ店などの遊技場に配設されていると、その隙間から例えばピアノ線や針金などを挿入させる不正行為が行われやすい。例えば遊技機本体に組み付けられる施錠装置は、その施錠装置を構成する部品、或いは機構自体が露呈されたまま組み付けられていることから、上述した隙間から、ピアノ線や針金などが挿入されてしまうと、容易に、施錠装置における施錠を解除されてしまうという問題がある。施錠装置における施錠が容易に解除されてしまうと、その解除の後に、パチンコ機の裏面に配置された制御装置や、その一部（例えばＲＯＭなど）を交換するなどの不正行為が行われ、遊技場の管理者にとっては不利益な状態を作られやすくなる。
【０００４】
このような不正行為を防止する方法として、例えば前後が開放された矩形の外枠（固定枠）に回動自在に組み付けられる内枠（パチンコ機本体）の裏面であって、外枠と接合する箇所に忍び返し用金属プレートを、外枠の前面接合部分に凹溝をそれぞれ設け、内枠が閉状態のときに、前記金属プレートと凹溝とを嵌合させることが提案されている（例えば、特許文献１等）。これによれば、金属プレートによって外枠と内枠との間に生じする隙間を遮蔽できることになり、外枠と内枠との組み付け精度が低い場合や、内枠の製品精度に関係なく、上述した不正行為を抑制することができる。
【特許文献１】特許３６４２６０５号公報
【発明の開示】
【発明が解決しようとする課題】
【０００５】
しかしながら、内枠の裏面に設けられる金属プレートと、外枠の前面接合部分に設けられた凹溝の嵌合状態によっては、金属プレートと凹溝との間に隙間が生じることになるので、この隙間を利用して、ピアノ線や針金などが挿入されてしまい、上述した不正行為を抑制することが難しいという問題がある。また、この他に、パチンコ機本体は人工樹脂から形成されており、また、遊技を行う際に作動する装置や、これら装置を制御する制御装置が組み付けられていることから、上述した金属プレートを組み付けるスペースを新たに設けることが難しいという問題がある。
【０００６】
本発明は、上記課題を解決するためになされたものであり、遊技機本体と固定枠との間に生じる隙間からピアノ線などを挿入した不正行為を抑制することができるようにした遊技機を提供することを目的とする。
【課題を解決するための手段】
【０００７】
上記目的を達成するために、本発明の遊技機は、遊技場の島設備に固定される固定枠に軸支される遊技機本体を有し、前記遊技機本体は、前記固定枠に軸支される一端縁とは反対側となる他端縁に、前記遊技機本体を前記固定枠に固定する施錠装置を備えた構成からなる遊技機において、前記施錠装置は、前記遊技機本体の上下方向に沿って、且つ前記遊技機本体の背面から突出するように前記遊技機本体に組み付けられるとともに、その解錠動作或いは施錠動作時に可動する係止爪を備えて構成され、前記固定枠は、前記施錠装置によって前記遊技機本体を固定枠に固定する際に前記係止爪が係合される係合片と、前記係合片が内部に設けられ、前記係止爪と前記係合片との係合の際に前記施錠装置の少なくとも係止爪が挿入されることで、前記施錠装置の一部が被覆される第１挿入部と、を備えたことを特徴とする。なお、施錠装置の一部とは、上述した係止爪や、施錠装置の解錠を行う解錠キーが挿入されるシリンダ、シリンダに差し込まれた解錠キーの回転動作を係止爪に伝達するための伝達部材（連動部材）や、伝達部材や係止爪などと保持する保持板等が挙げられる。
【０００８】
また、前記遊技機本体は、前記施錠装置に沿って、且つ前記施錠装置よりも外側に設けられる突片を備え、前記固定枠は、前記第１挿入部の他に、前記突片が挿入される第２挿入部を備えていることを特徴とする。
【０００９】
また、前記固定枠の他端縁は、その前面の一部が上下方向に沿って切り欠かれることで、複数の段差面を備えた段差形状から構成され、前記複数の段差面のうち、前記固定枠の前面側に位置する段差面に前記第２挿入部を設け、前記複数の段差面のうち、前記固定枠の背面側に設けられる段差面に前記第１挿入部を設けたことを特徴とする。
【発明の効果】
【００１０】
本発明の遊技機によれば、遊技場の島設備に固定される固定枠に軸支される遊技機本体を有し、前記遊技機本体は、前記固定枠に軸支される一端縁とは反対側となる他端縁に、前記遊技機本体を前記固定枠に固定する施錠装置を備えた構成からなる遊技機において、前記施錠装置は、前記遊技機本体の上下方向に沿って、且つ前記遊技機本体の背面から突出するように前記遊技機本体に組み付けられるとともに、その解錠動作或いは施錠動作時に可動する係止爪を備えて構成され、前記固定枠は、前記施錠装置によって前記遊技機本体を固定枠に固定する際に前記係止爪が係合される係合片と、前記係合片が内部に設けられ、前記係止爪と前記係合片との係合の際に前記施錠装置の少なくとも係止爪が挿入されることで、前記施錠装置の一部が被覆される第１挿入部と、を備えたから、施錠装置が被覆されていることで、例えばピアノ線や針金などを挿入させて、上述した係止爪と係合片との係合を解除させることで施錠装置を解錠し、制御基板などを不正に交換するなどの不正行為が行われにくくすることができる。
【００１１】
また、前記遊技機本体は、前記施錠装置に沿って、且つ前記施錠装置よりも外側に設けられる突片を備え、前記固定枠は、前記第１挿入部の他に、前記突片が挿入される第２挿入部を備えているから、例えば固定枠と遊技機本体との隙間からピアノ線などを挿入する際の挿入経路を複雑にすることで、ピアノ線などを挿入し、上述した施錠装置を解錠させる不正行為を行わせにくくすることができる。
【００１２】
また、前記固定枠の他端縁は、その前面の一部が上下方向に沿って切り欠かれることで、複数の段差面を備えた段差形状から構成され、前記複数の段差面のうち、前記固定枠の前面側に位置する段差面に前記第２挿入部を設け、前記複数の段差面のうち、前記固定枠の背面側に設けられる段差面に前記第１挿入部を設けたから、例えば各挿入部と、遊技機本体の背面に設けられる部材との隙間の形状が場所によって異なることになるから、その隙間の形状が複雑になり、ピアノ線や針金などを挿入させづらくすることができる。
【発明を実施するための最良の形態】
【００１３】
図１は、本発明を用いたパチンコ機の前面の外観を示す外観斜視図である。パチンコ機（遊技機）２は、基体となる本体部材（遊技機本体）３と、上部扉４及び下部扉５からなる前面扉６とを備えている。本体部材３は、遊技場の島設備に固定される固定枠８の幅方向の一端部（図１中左側端部）が回動中心となるように固定枠８に組み付けられる。固定枠８の上端部及び下端縁部には、本体部材３を回動可能に保持するための上部保持部１０及び下部保持部１１が設けられる。上部保持部１０は、本体部材３の上部に、且つ本体部材３から突出する回動軸１６が挿入される軸受穴１３を備えている。一方、下部保持部１１は、本体部材３の下部に設けられた軸受片１７の軸受孔１８に挿通される回動軸１４が設けられている。なお、上部保持部１０の軸受穴１３の中心軸と、下部保持部１１の回動軸１４の中心軸とが同軸となるように上部保持部１０と下部保持部１１とが固定枠８に組み付けられている。これにより、本体部材３の一端縁が固定枠８に軸支され、図２中Ａ方向、又は図２中Ｂ方向に回動させることができる。
【００１４】
上述したように、前面扉６は、上部扉４と下部扉５とから構成されている。詳細は記載しないが、上部扉４及び下部扉５は、それぞれ本体部材３の回動中心と同一の端縁（図１中左側の端縁）を回動中心として本体部材３に組み付けられる。上部扉４の中央には開口４ａが設けられており、この開口４ａは上部扉４の裏側に取り付けられるガラス等の透光性を有する部材（図示省略）により遮蔽される。この開口４ａを介して遊技領域２０や遊技領域２０を流下するパチンコ球が視認される。この遊技領域２０には、障害釘や風車、センター役物２１などの構造物の他に、通過チャッカー２２、始動チャッカー２３、入賞チャッカー２４、アタッカ２５などの入賞装置が設けられている、なお、符号２６はアウト口であり、上述した入賞装置に入賞しないパチンコ球、或いは、通過チャッカー２２に入賞した後に、他の入賞装置に入賞せずに流下したパチンコ球が回収される。
【００１５】
上部扉４であって、その回動中心となる一端縁部とは反対側となる他端縁部には、後述する施錠装置４０（図２参照）を構成するシリンダ３０が露呈されている。このシリンダ３０に解錠キー３９（図２参照）を挿入し解錠キー３９を例えば反時計方向（図２中Ｃ方向）に回転させると、後述する連動板４１を介して係止爪４２，４３が回動する。この回動によって係止爪４２と係合片５０との係合、及び係止爪４３と係合片５１との係合がそれぞれ解除され、施錠装置４０による本体部材３と固定枠８との施錠が解除される。これにより、本体部材３を回動させることができる。また、詳細は記載しないが、解錠キー３９を時計方向（図２中Ｄ方向）に回転させると、上部扉４と本体部材３との施錠が解除され、上部扉４を回動させることが可能となる。
【００１６】
下部扉５は、受容皿３５を備えている。この受容皿３５は、上面が開口された形状から構成される。この受容皿３５には、遊技を開始する際にパチンコ球が供給される他に、遊技領域２０を流下するパチンコ球が、遊技領域２０に設けられた入賞装置のいずれかに入賞したことを受けて払い出される賞球としてのパチンコ球が受容される。なお、符号３６は、払出口であり、この払出口３６を介してパチンコ球が払い出される。
【００１７】
この下部扉５の図１中右側端部には、操作ハンドル３７が設けられている。この操作ハンドル３７は、例えば回転自在に設けられており、操作ハンドル３７を回転させると発射装置（図示せず）が作動し、操作ハンドル３７の回転量に合わせた打ち出し強さでパチンコ球を遊技領域２０に向けて打ち出す。
【００１８】
図２に示すように、パチンコ機２を固定枠８に対して回動させると、パチンコ機２の背面であって、その縁端部に、施錠装置４０が露呈される。施錠装置４０の構成についての詳細は省略するが、この施錠装置４０は、パチンコ機２の上端部から下端部に亘って、且つ上下方向に沿って配置される。この施錠装置４０は、シリンダ３０の内部に設けられた回転機構の回転に連動して上下方向に移動する連動板４１と、この連動板４１の移動によって回動する係止爪４２，４３と、連動板４１や係止爪４２，４３を保持する保持板４４（図４参照）を備えている。なお、この係止爪４２、４３は、本体部材３を固定枠８に向けて回動させたときに、固定枠８に設けられた係合片５０，５１にそれぞれ係合する。これにより、本体部材３が固定枠８の前面に保持される。また、本体部材３であって、施錠装置４０が組み付けられる箇所よりも外周縁部となる箇所には、施錠装置４０に沿って突片５２が設けられている。この突片５２の突出量は、施錠装置４０の突出量よりも小さくなるように設けられている（図４、又は図５参照）。
【００１９】
固定枠８は、前面と背面とが開口された枠形状から構成されている。この固定枠８は、人工樹脂から形成されている。図２及び３に示すように、固定枠８を構成する枠構成部材のうち、上下方向に延びる枠構成部材５３は、その前面５３ａの一部が切り欠かれた段差形状から構成される。この段差形状を構成する段差面のうち、固定枠５３の前面５３ａ側に位置する段差面５３ｅには、その段差面５３ｅから背面５３ｄに向けて切り欠かれた凹溝（第２挿入部）６０が設けられている。この凹溝６０には、本体部材３に設けられた突片５２が挿入される。また、階段形状を構成する段差面のうち段差面５３ｅと固定枠５３の背面５３ｄとの間に設けられる段差面５３ｆには、その段差面５３ｆから背面５３ｄに向けて切り欠かれた凹溝（第１挿入部）６１が設けられている。この凹溝６１は、上述した施錠装置４０の連動板４１や、係止爪４２，４３が挿入される。なお、この凹溝６１の内部には、施錠装置４０の係止爪４２，４３が係合される略Ｌ字状の係合片５０，５１が組み付けられている。
【００２０】
このような固定枠８にパチンコ機２を組み付ける場合、遊技場の島設備に固定された固定枠８にパチンコ機２を軸支し、パチンコ機２を図２中Ａ方向に回動させる。図２中Ａ方向への回動によって、本体部材３の背面に組み付けられた施錠装置４０が固定枠３の凹溝６１に、本体部材３に設けられた突片５２が固定枠３の凹溝６０に、それぞれ挿入される。この挿入の際に、施錠装置４０の係止爪４２，４３と、凹溝６１の内部に設けられた係合片５０，５１とが係合される。これにより、図４に示すように、本体部材３と固定枠８とが施錠装置４０によって施錠された状態で保持され、また、係止爪４２，４３が凹溝６１に挿入されることで、固定枠８に被覆された状態となる。このとき、凹溝６１の内部には、係止爪４２，４３の他に、連動板４１や保持板４４が挿入されている。上述したように、本体部材３と固定枠８とが施錠装置４０によって施錠された状態では、固定枠８の凹溝６０に突片５２が、固定枠８の凹溝６１には施錠装置４０が収納された状態が保持されている。
【００２１】
例えば、図５に示すように、固定枠８の部品精度が低い場合、或いは、固定枠８と本体部材３との施錠状態が悪い場合には、本体部材３と固定枠８の枠構成部材５３との間に隙間が生じることがある。この隙間を利用して、ピアノ線７０が挿入された場合、ピアノ線７０の先端が突辺５２に当接してその挿入が防止される。仮に、ピアノ線７０を折り曲げることができて、突片５２と固定枠８の隙間を進入することができた場合であっても、突片５２と凹溝６０との間の隙間がコ字状となることから、ピアノ線７０を少なくとも、２回折り曲げる必要がある。このように、ピアノ線７０の先端を施錠装置４０まで到達させるためには、ピアノ線７０を何回も折り曲げる必要があるので、ピアノ線７０を挿入させづらくすることができる。これにより、ピアノ線７０を用いて施錠装置４０を解錠させる不正行為を抑制することが可能となる。
【００２２】
また、例えばピアノ線７０を挿入してパチンコ機２の背面側に設けられた制御装置まで到達させる為には、さらに、凹溝６１と施錠装置４０とに間に設けられるコ字状の隙間を挿通させる必要がある。このため、ピアノ線７０を挿入させる行為の際にピアノ線を何回も折り曲げる作業が必要となることから、ピアノ線７０の挿入をさせづらくすることができ、仮に挿入できてもピアノ線７０の挿入には時間がかかることになる。このピアノ線の挿入の際に時間がかかるようにすれば、その動作が遊技場の店員や他の遊技者に気づかれやすくなるので、ピアノ線を用いた不正行為を抑制することができる。また、ピアノ線の挿入経路を構成する部材として施錠装置を用いることで、新たな部材を本体部材に組み付ける必要がなく、本体部材の背面の構成を新規にする必要がない。
【００２３】
本実施形態では、固定枠を構成する枠構成部材の断面形状の一部を段差形状から構成したが、これに限定する必要はなく、断面が矩形状の枠構成部材の前面から背面に向けて、施錠装置の一部が挿入される凹溝と、突片が挿入される凹溝とを併設して設けることも可能である。
【図面の簡単な説明】
【００２４】
【図１】本発明のパチンコ機の外観を示す斜視図である。
【図２】本体部材を固定枠に対して回動させた状態を示す斜視図である。
【図３】固定枠の一辺の構成を示す断面図である。
【図４】本体部材と固定枠とが施錠された状態を示す断面図である。
【図５】本体部材に組み付けられる施錠装置の近傍の構成を示す断面図である。
【符号の説明】
【００２５】
２  パチンコ機（遊技機）
３  本体部材（遊技機本体）
８  固定枠
４０  施錠装置
４１  連動板
４２，４３  係止爪
４４  保持板
５０，５１  係合片
５２  突片
５３  枠構成部材
５３ｅ  段差面
５３ｆ  段差面
６０  凹溝（第２挿入部）
６１  凹溝（第１挿入部）
【図１】
2007325731.tif 000003
【図２】
2007325731.tif 000004
【図３】
2007325731.tif 000005
【図４】
2007325731.tif 000006
【図５】
2007325731.tif 000007